(57)【要約】【課題】製造が容易であるばかりでなく、尾栓を回転操作してボールペン芯の出没を行うだけで、自動的にクリップの突出幅が変化するようにする。【解決手段】後筒軸３に、後端面に偏心した位置にカム孔１２を設けたカム筒状体１３を相対的に回転可能に内嵌させ、このカム筒状体１３の前半部に繰り出し入力前部８を内嵌させ、カム筒状体１３と、繰り出し入力前部８と、前筒軸２が一体的に回転しうるようにするとともに、後筒軸３にクリップ５における基端部１４の出入孔１５を設け、この出入孔１５を介して基端部１４の下端を後筒軸３内に貫入し、基端部１４の下端から前方に向けてベース部１６を延設し、このベース部１６を前記カム孔１２に係止させ、かつ尾栓４と連結杆１０を介して連結した繰り出し入力後部９をカム筒状体１３内に回転可能に内嵌させることによって、尾栓４の回転操作により、繰り出し入力後部９と、後筒軸３と、クリップ５とが一体的に回転しうるようにする。【選択図】  図３
2009119783.tif 000002
【特許請求の範囲】
【請求項１】
尾栓を回転操作することにより、ボールペン芯の芯出しを行うボールペンにおいて、
本体筒軸における後筒軸に、後端面に、この後端面の中心から偏心した位置にカム孔を設けたカム筒状体を、相対的に回転可能に内嵌させ、このカム筒状体の前半部にボールペン芯の繰り出し入力前部の後半部を内嵌させるとともに、前半部を本体筒軸における前筒軸と連結して、これらカム筒状体と、繰り出し入力前部とが、前筒軸と一体的に回転しうるようにするとともに、カム筒状体の後半部に繰り出し入力後部を、相対的に回転可能に内嵌させて、この繰り出し入力後部を、前記カム孔を挿通させた連結杆を介して尾栓と連結し、かつ後筒軸の後端部に、クリップにおける基端部の出入孔を設け、この出入孔を介して基端部の下端を後筒軸内に貫入し、基端部の下端から前方に向けてベース部を延設し、このベース部を前記カム孔の内周縁に係止させることにより、尾栓を回転操作することにより、尾栓とともに、連結杆、繰り出し入力後部、後筒軸、クリップが一体的、かつ前筒軸、繰り出し入力前部、カム筒状体に対して相対的に回転しうるようになし、さらにばねによりクリップの後端部を外向きに付勢することによって、尾栓の回転操作により、ボールペン芯を突出させた使用時には、クリップの本体部が、後筒軸の軸心とほぼ平行となって、後筒軸の外周面に当接乃至近接した状態となり、不使用時には、本体部の後端が後筒軸の外周面から離間した状態となりうるようにしたことを特徴とするボールペン。
【請求項２】
ばねによりクリップの後端部を外向きに付勢する手段として、クリップの基端部を筒状体とし、この筒状体内に圧縮スプリングを嵌装するとともに、この圧縮スプリングの遊端を、尾栓と繰り出し入力後部とを連結する連結杆に当接させた請求項１記載のボールペン。
【請求項３】
本体筒軸における後筒軸に、クリップにおけるクリップ玉用の通孔を設け、クリップの本体部の後端が後筒軸の外周面から離間した状態にあるとき、クリップ玉が前記通孔を貫通して、カム筒状体の外周面に圧接するようにするとともに、カム筒状体の外周面にクリップ玉が嵌入しうる凹嵌部を設け、尾栓の回転操作により、クリップの本体部が後筒軸の軸心とほぼ平行となって、後筒軸の外周面に当接乃至近接した状態になったとき、クリップ玉が前記通孔を貫通するとともに、前記凹嵌部に嵌入するようにした請求項１または２記載のボールペン。
【請求項４】
クリップの本体部の後端が後筒軸の外周面から離間した状態にあるとき、クリップ玉が後筒軸の通孔を貫通して、カム筒状体の外周面に圧接するようにする手段として、クリップの基端部の下端から前方に向けて延設したベース部を、カム筒状体のカム孔の内周縁に係止させるとともに、ばねによりクリップの後端部を外向きに付勢することにより、梃子の作用により、クリップ玉がカム筒状体の外周面に圧接するようにした請求項３記載のボールペン。
【請求項５】
カム筒状体と繰り出し入力前部とが、本体筒軸における前筒軸と一体的に回転するようにする手段として、カム筒状体の前半部に、繰り出し入力前部の後半部を圧入するとともに、この繰り出し入力前部の前半部を、本体筒軸における前筒軸の後端に圧入し、かつ尾栓を回転操作することにより、連結杆、繰り出し入力後部、後筒軸が一体的に回転するようにする手段として、後筒軸の後端に尾栓を圧入し、この尾栓と繰り出し入力後部を連結杆を介して一体的に連結した請求項１〜４のいずれかに記載のボールペン。
【発明の詳細な説明】
【技術分野】
【０００１】
本発明は、携帯に適するようにクリップを備えたボールペンに関し、特に、本体筒軸からのクリップの突出幅が変化するボールペンに関する。
【背景技術】
【０００２】
一般にボールペンのクリップは、ポケット等に挿着し易いように、通常、クリップにおける本体部の後端が本体筒軸の外周面から離間した状態で設けられている。
【０００３】
しかし、このようにクリップの本体部が、本体筒軸から外方に向けて突出している場合、その程度によっては、使用時に前記クリップが邪魔となり、使用感が余り良好でない場合がある。
このため、クリップを出没式とした発明が提案されている（たとえば、特許文献１、２）。
【０００４】
しかし、これらの発明のものは、構造が比較的複雑で、必ずしも製造が容易でないという問題がある。
【特許文献１】実公平５−３３５７号公報
【特許文献２】特開２００１−２７７７８１号公報
【発明の開示】
【発明が解決しようとする課題】
【０００５】
本発明は、前記の現状に鑑み、比較的構造が簡単で、製造が容易であるばかりでなく、尾栓を回転操作してボールペン芯の出没を行うだけで、自動的にクリップの突出幅が変化し、使用時にクリップの突出が邪魔とならず、使用感が良好なボールペンを提供することを目的とする。
【課題を解決するための手段】
【０００６】
本発明によると、上記課題は、特許請求の範囲における各請求項に示すように、下記の構成を備える発明によって解決される。
（１）  尾栓を回転操作することにより、ボールペン芯の芯出しを行うボールペンにおいて、本体筒軸における後筒軸に、後端面に、この後端面の中心から偏心した位置にカム孔を設けたカム筒状体を、相対的に回転可能に内嵌させ、このカム筒状体の前半部にボールペン芯の繰り出し入力前部の後半部を内嵌させるとともに、前半部を本体筒軸における前筒軸と連結して、これらカム筒状体と、繰り出し入力前部とが、前筒軸と一体的に回転しうるようにするとともに、カム筒状体の後半部に繰り出し入力後部を、相対的に回転可能に内嵌させて、この繰り出し入力後部を、前記カム孔を挿通させた連結杆を介して尾栓と連結し、かつ後筒軸の後端部に、クリップにおける基端部の出入孔を設け、この出入孔を介して基端部の下端を後筒軸内に貫入し、基端部の下端から前方に向けてベース部を延設し、このベース部を前記カム孔の内周縁に係止させることにより、尾栓を回転操作することにより、尾栓とともに、連結杆、繰り出し入力後部、後筒軸、クリップが一体的、かつ前筒軸、繰り出し入力前部、カム筒状体に対して相対的に回転しうるようになし、さらにばねによりクリップの後端部を外向きに付勢することによって、尾栓の回転操作により、ボールペン芯を突出させた使用時には、クリップの本体部が、後筒軸の軸心とほぼ平行となって、後筒軸の外周面に当接乃至近接した状態となり、不使用時には、本体部の後端が後筒軸の外周面から離間した状態となりうるようにしたことを特徴とするボールペンとする。
【０００７】
（２）  上記（１）項において、ばねによりクリップの後端部を外向きに付勢する手段として、クリップの基端部を筒状体とし、この筒状体内に圧縮スプリングを嵌装するとともに、この圧縮スプリングの遊端を、尾栓と繰り出し入力後部とを連結する連結杆に当接させる。
【０００８】
（３）  上記（１）項または（２）項において、本体筒軸における後筒軸に、クリップにおけるクリップ玉用の通孔を設け、クリップの本体部の後端が後筒軸の外周面から離間した状態にあるとき、クリップ玉が前記通孔を貫通して、カム筒状体の外周面に圧接するようにするとともに、カム筒状体の外周面にクリップ玉が嵌入しうる凹嵌部を設け、尾栓の回転操作により、クリップの本体部が後筒軸の軸心とほぼ平行となって、後筒軸の外周面に当接乃至近接した状態になったとき、クリップ玉が前記通孔を貫通するとともに、前記凹嵌部に嵌入するようにする。
【０００９】
（４）  上記（３）項において、クリップの本体部の後端が後筒軸の外周面から離間した状態にあるとき、クリップ玉が後筒軸の通孔を貫通して、カム筒状体の外周面に圧接するようにする手段として、クリップの基端部の下端から前方に向けて延設したベース部を、カム筒状体のカム孔の内周縁に係止させるとともに、ばねによりクリップの後端部を外向きに付勢することにより、梃子の作用により、クリップ玉がカム筒状体の外周面に圧接するようにする。
【００１０】
（５）  上記（１）〜（４）項のいずれかにおいて、カム筒状体と繰り出し入力前部とが、本体筒軸における前筒軸と一体的に回転するようにする手段として、カム筒状体の前半部に、繰り出し入力前部の後半部を圧入するとともに、この繰り出し入力前部の前半部を、本体筒軸における前筒軸の後端に圧入し、かつ尾栓を回転操作することにより、連結杆、繰り出し入力後部、後筒軸が一体的に回転するようにする手段として、後筒軸の後端に尾栓を圧入し、この尾栓と繰り出し入力後部を連結杆を介して一体的に連結する。
【発明の効果】
【００１１】
本発明によると、次のような効果が奏せられる。
請求項１記載の発明によれば、比較的構造が簡単で、製造が容易であるばかりでなく、尾栓を回転操作してボールペン芯の出没を行うだけで、カム筒状体のカム作用と、ばねの付勢作用により、自動的に、ボールペン芯を突出させた使用時には、クリップの本体部が後筒軸の軸心とほぼ平行となって、後筒軸の外周面に当接乃至近接した状態となり、不使用時には、本体部の後端が後筒軸の外周面から離間した状態となるため、使用時において、クリップが邪魔となることがなく、使用感が良好である。
【００１２】
請求項２記載の発明によれば、ばねによりクリップの後端部を外向きに付勢する手段を、簡単に構成することができるとともに、圧縮スプリングが筒状体の基端部内に嵌装されているため、その位置安定性も良好である。
【００１３】
請求項３記載の発明によれば、不使用時においては、クリップ玉が後筒軸の通孔を貫通して、カム筒状体の外周面に圧接しているため、ポケット等に挿着した場合に、挿着の安定性が良好であり、ボールペンがポケット等から脱落することを効果的に防止できる。
また、使用時においては、クリップ玉が前記通孔を貫通して、カム筒状体の凹嵌部に嵌入しているため、クリップの本体部が後筒軸の外周面に当接し易くなり、外周面からの本体部の突出幅を可及的に小さくすることができる。
【００１４】
請求項４記載の発明によれば、梃子の作用により、クリップ玉がカム筒状体の外周面に確実に圧接されるとともに、その圧接の程度も、ばねを変更することにより容易に調節することができる。
【００１５】
請求項５記載の発明によれば、尾栓を回転操作することにより、尾栓とともに、連結杆、繰り出し入力後部、後筒軸、クリップが一体的、かつ前筒軸、繰り出し入力前部、カム筒状体に対して相対的に回転しうるように容易に構成することができる。
【発明を実施するための最良の形態】
【００１６】
以下、本発明を、図面に基づいて説明する。
図１は、本発明を適用したボールペンの不使用状態を示す正面図、図２は、同じく使用状態を示す正面図、図３は、不使用状態の要部拡大断面図、図４は、使用状態の要部拡大断面図、図５は、図３におけるＶ−Ｖ線断面図、図６は、図４におけるVI−VI線断面図である。
【００１７】
図１、図２に示すように、本体筒軸１は、前筒軸２と後筒軸３とよりなり、後筒軸３の後端には、尾栓４が一体的に設けられている。
後筒軸３にはクリップ５が付設されている。
【００１８】
尾栓４を回転操作することにより、ボールペン芯６の前端６ａが、前筒軸２の前端開口２ａから出没するようになっている。
【００１９】
図１に示すように、ボールペン芯６の前端６ａが前筒軸２内に没入している不使用状態においては、クリップ５は、その本体部７の後端７ａが、後筒軸３の外周面から離間した状態にある。
【００２０】
しかし、尾栓４を回転操作して、図２に示すように、ボールペン芯６の前端６ａを前筒軸２の前端開口２ａから突出させて使用状態にすると、クリップ５の本体部７は、後筒軸３の軸心とほぼ平行となって、後筒軸３の外周面に当接乃至近接した状態となる。
【００２１】
図３、図４に示すように、前筒軸２の後端には、ボールペン芯６の前端６ａを出没させるための周知の繰り出し機構を備える繰り出し入力部のうちの繰り出し入力前部８の前半部が圧入され、この繰り出し入力前部８と相対的に回転可能な繰り出し入力後部９は、連結杆１０を介して、尾栓４と一体的に連結されている。
【００２２】
後筒軸３には、後端面１１に、この後端面１１の中心から偏心した位置にカム孔１２を設けたカム筒状体１３が、相対的に回転可能に内嵌されている。
【００２３】
このカム筒状体１３の前半部には、繰り出し入力前部８の後半部が圧入され、この繰り出し入力前部８の前半部は、前記のように前筒軸２の後端に圧入されている。
【００２４】
これにより、カム筒状体１３と、繰り出し入力前部８とが、前筒軸２と一体的に回転しうるようになっている。
【００２５】
カム筒状体１３の後半部には、繰り出し入力後部９が、相対的に回転可能に内嵌されている。
【００２６】
この繰り出し入力後部９は、カム筒状体１３のカム孔１２を挿通させた連結杆１０を介して尾栓４に一体的に連結されている。
【００２７】
尾栓４は、後筒軸３の後端に圧入されており、尾栓４を回転操作することにより、尾栓４とともに、連結杆１０、繰り出し入力後部９、後筒軸３が、一体的、かつ前筒軸２、繰り出し入力前部８、カム筒状体１３に対して相対的に回転しうるようになっている。
【００２８】
後筒軸３の後端部には、クリップ５における基端部１４の出入孔１５
が設けられ、この出入孔１５を介して基端部１４の下端が後筒軸３内に貫入され、基端部１４の下端から前方に向けてベース部１６が延設されている。
【００２９】
このベース部１６は、カム筒状体１３のカム孔１２の内周縁に係止されている。クリップ５の基端部１４の下端が、後筒軸３の出入孔１５を介して後筒軸３内に貫入されていることにより、クリップ５が後筒軸３と一体的に回転するようになっている。
【００３０】
クリップ５の基端部１４は筒状体をなしており、この筒状体内に圧縮スプリング１７が嵌装されるとともに、この圧縮スプリング１７の遊端１７ａが、尾栓４と繰り出し入力後部９とを連結する連結杆１０に当接されている。
【００３１】
この圧縮スプリング１７により、クリップ５における本体部７の後端部７ａは外向きに付勢されている。
【００３２】
後筒軸３には、クリップ５におけるクリップ玉１８用の通孔１９が設けられており、図３に示すように、クリップ５の本体部７の後端７ａが後筒軸３の外周面から離間した状態にあるとき、クリップ玉１８が通孔１９を貫通して、カム筒状体１３の外周面に圧接するようになっている。
【００３３】
このクリップ玉１８の圧接は、クリップ５の基端部１４の下端から前方に向けて延設されたベース部１６が、カム筒状体１３のカム孔１２の内周縁に係止されるとともに、圧縮スプリング１７によりクリップ５の後端部が外向きに付勢されることにより、梃子の作用によりなされる。
【００３４】
図３に示す不使用状態において、カム筒状体１３の外周面のうち、後筒軸３の通孔１９と反対側の外周面には、クリップ玉１８が嵌入しうる凹嵌部２０が設けられている。
【００３５】
図１、図３、図５に示す不使用状態から、尾栓４を回転操作して、図２、図４、図６に示すボールペン芯６を芯出しした使用状態にすると、カム筒状体１３におけるカム孔１２が、後端面１１の中心から偏心した位置にあるため、カム作用により、自動的に、クリップ５の本体部７の後端が引き込まれて、本体部７が後筒軸３の軸心とほぼ平行となり、後筒軸３の外周面に当接乃至近接した状態になるとともに、圧縮スプリング１７の付勢作用により、クリップ玉１８が、後筒軸３の通孔１９と位置が整合するようになった、カム筒状体１３の凹嵌部２０に嵌入する。
【００３６】
このため使用時における本体軸１の外周面からのクリップ５の突出幅が甚小となり、良好な使用感が得られる。
【００３７】
使用後には、再度、尾栓４を回転操作して、ボールペン芯６の前端６ａを本体軸１内に没入させることにより、自動的に図１、図３に示す状態に復帰する。
【図面の簡単な説明】
【００３８】
【図１】本発明を適用したボールペンの不使用状態を示す正面図である。
【図２】同じく、ボールペンの使用状態を示す正面図である。
【図３】不使用状態の要部拡大断面図である。
【図４】使用状態の要部拡大断面図である。
【図５】図３におけるＶ−Ｖ線断面図である。
【図６】図４におけるVI−VI線断面図である。
【符号の説明】
【００３９】
１      本体筒軸
２      前筒軸
２ａ    前端開口
３      後筒軸
４      尾栓
５      クリップ
６      ボールペン芯
６ａ    前端
７      本体部
７ａ    後端
８      繰り出し入力前部
９      繰り出し入力後部
１０    連結杆
１１    後端面
１２    カム孔
１３    カム筒状体
１４    基端部
１５    出入孔
１６    ベース部
１７    圧縮スプリング
１７ａ  遊端
１８    クリップ玉
１９    通孔
２０    凹嵌部
【図１】
2009119783.tif 000003
【図２】
2009119783.tif 000004
【図３】
2009119783.tif 000005
【図４】
2009119783.tif 000006
【図５】
2009119783.tif 000007
【図６】
2009119783.tif 000008